(57)【要約】  無線通信ネットワークのためのネットワーク・エンティティであって、無線通信ネットワークの地上インタフェースのための第１のリソースと第２のリソースとを確保させる処理部と、第１のリソースと第２のリソースとを識別するハンドオーバ要求メッセージ、または、割当要求メッセージが送信されるネットワークインタフェースとを備え、第１のリソースと第２のリソースとは、異なるリソースであって明確に区別される。無線通信ネットワークのためのネットワーク・エンティティであって、第１のリソースと第２のリソースとを識別するハンドオーバ要求メッセージ、または、割当要求メッセージを受信するネットワークインタフェースと、第１のリソースと第２のリソースとのいずれかを選択し、ハンドオーバ又は割当と関連する無線チャネルを割り当て、地上インタフェースのためのベアラを選択し、地上インタフェースのためにリソースを確保する処理部とを備え、第１のリソースと第２のリソースとは、異なるリソースであって明確に区別される。
2011508495.tif 000002
【特許請求の範囲】
【請求項１】
無線通信ネットワークのネットワーク・エンティティを使用するための方法であって、
第１のリソースと第２のリソースとを、前記無線通信ネットワークの地上インタフェースのために確保する工程と、
前記第１のリソースと前記第２のリソースとを識別するハンドオーバ要求メッセージを送信する工程と
を備え、
前記第１のリソースと前記第２のリソースとは、異なるリソースであって明確に区別されることを特徴とする方法。
【請求項２】
前記ハンドオーバの確認応答を受信する工程をさらに備えることを特徴とする請求項１に記載の方法。
【請求項３】
前記第１のリソースと前記第２のリソースとのいずれかがベアラのために選択されたことを検出する工程をさらに備えることを特徴とする請求項２に記載の方法。
【請求項４】
前記第１のリソースと前記第２のリソースとのうち、選択されていないリソースを解放する工程をさらに備えることを特徴とする請求項３に記載の方法。
【請求項５】
前記送信する工程は、
時分割多重（ＴＤＭ）ベアラについての選択されたＴＤＭ回路の回路識別コードと、インターネット・プロトコル（ＩＰ）ベアラについてのＩＰ接続を終端させるメディア・ゲートウェイ（ＭＧｗ）の転送アドレスとを、ハンドオーバ要求メッセージと共に送信する工程を含むことを特徴とする請求項４に記載の方法。
【請求項６】
無線通信ネットワークのためのネットワーク・エンティティであって、
前記無線通信ネットワークの地上インタフェースのための第１のリソースと第２のリソースとを確保させる処理部と、
前記第１のリソースと前記第２のリソースとを識別するハンドオーバ要求メッセージが送信されるネットワークインタフェースと
を備え、
前記第１のリソースと前記第２のリソースとは、異なるリソースであって明確に区別されることを特徴とするネットワーク・エンティティ。
【請求項７】
前記ネットワーク・インタフェースは、前記ハンドオーバの確認応答を受信することを特徴とする請求項６に記載のネットワーク・エンティティ。
【請求項８】
前記処理部は、前記第１のリソースと前記第２のリソースとのいずれかがベアラのために選択されたことを検出することを特徴とする請求項７に記載のネットワーク・エンティティ。
【請求項９】
前記処理部は、前記第１のリソースと前記第２のリソースとのうち、選択されていない一つを解放させることを特徴とする請求項８に記載のネットワーク・エンティティ。
【請求項１０】
前記ネットワーク・インタフェースは、前記ハンドオーバ要求メッセージを、時分割多重（ＴＤＭ）ベアラについての選択されたＴＤＭ回路の回路識別コード、及び、インターネット・プロトコル（ＩＰ）ベアラについてのＩＰ接続を終端させるメディア・ゲートウェイ（ＭＧｗ）の転送アドレスと共に送信することを特徴とする請求項９に記載のネットワーク・エンティティ。
【請求項１１】
無線通信ネットワークのネットワーク・エンティティを使用するための方法であって、
第１のリソースと第２のリソースとを、前記無線通信ネットワークの地上インタフェースのために確保する工程と、
前記第１のリソースと前記第２のリソースとを識別する割当要求メッセージを送信する工程と
を備え、
前記第１のリソースと前記第２のリソースとは、異なるリソースであって明確に区別されることを特徴とする方法。
【請求項１２】
Ａインタフェースのユーザ・プレーン接続で使用されるべきベアラを示す割当完了メッセージを受信する工程をさらに備えることを特徴とする請求項１１に記載の方法。
【請求項１３】
無線通信ネットワークのためのネットワーク・エンティティであって、
前記無線通信ネットワークの地上インタフェースのための第１のリソースと第２のリソースとを確保させる処理部と、
前記第１のリソースと前記第２のリソースとを識別する割当要求メッセージが送信されるネットワークインタフェースと
を備え、
前記第１のリソースと前記第２のリソースとは、異なるリソースであって明確に区別されることを特徴とするネットワーク・エンティティ。
【請求項１４】
無線通信ネットワークのためのネットワーク・エンティティであって、
第１のリソースと第２のリソースとを識別するハンドオーバ要求メッセージを受信するネットワークインタフェースと、
前記第１のリソースと前記第２のリソースとのいずれかを選択し、前記ハンドオーバと関連する無線チャネルを割り当て、地上インタフェースのためのベアラを選択し、前記地上インタフェースのためにリソースを確保する処理部と
を備え、
前記第１のリソースと前記第２のリソースとは、異なるリソースであって明確に区別されることを特徴とするネットワーク・エンティティ。
【請求項１５】
前記ネットワーク・インタフェースは、前記ハンドオーバの確認応答を送信することを特徴とする請求項１４に記載のネットワーク・エンティティ。
【請求項１６】
前記確認応答は、どのベアラが地上インタフェースで使用されるかを識別する情報を含むことを特徴とする、請求項１５に記載のネットワーク・エンティティ。
【請求項１７】
前記ハンドオーバ要求メッセージは、基地局システム管理アプリケーション・パート（ＢＳＳＭＡＰ）ハンドオーバ要求であって、時分割多重（ＴＤＭ）ベアラについての選択されたＴＤＭ回路の回路識別コードと、インターネット・プロトコル（ＩＰ）ベアラについてのＩＰ接続を終端させるメディア・ゲートウェイ（ＭＧｗ）の転送アドレスとを伴うことを特徴とする請求項１６に記載のネットワーク・エンティティ。
【請求項１８】
無線通信ネットワークのためのネットワーク・エンティティのための方法であって、
第１のリソースと第２のリソースとを識別するハンドオーバ要求メッセージを受信する工程と、
前記第１のリソースと前記第２のリソースとのいずれかを選択する工程と、
前記ハンドオーバと関連する無線チャネルを割り当てる工程と、
地上インタフェースのためのベアラを選択する工程と、
前記地上インタフェースのためにリソースを確保する工程と
を備え、
前記第１のリソースと前記第２のリソースとは、異なるリソースであって明確に区別されることを特徴とする方法。
【請求項１９】
前記ハンドオーバの確認応答を送信する工程をさらに備えることを特徴とする請求項１８に記載の方法。
【請求項２０】
前記確認応答は、どのベアラが地上インタフェースで使用されるかを識別する情報を含むことを特徴とする、請求項１９に記載の方法。
【請求項２１】
前記受信する工程は、
基地局システム管理アプリケーション・パート（ＢＳＳＭＡＰ）ハンドオーバ要求を、時分割多重（ＴＤＭ）ベアラについての選択されたＴＤＭ回路の回路識別コード、及び、インターネット・プロトコル（ＩＰ）ベアラについてのＩＰ接続を終端させるメディア・ゲートウェイ（ＭＧｗ）の転送アドレスと共に受信する工程を含むことを特徴とする請求項２０に記載の方法。
【請求項２２】
無線通信ネットワークのためのネットワーク・エンティティであって、
第１のリソースと第２のリソースとを識別する割当要求メッセージを受信するネットワークインタフェースと、
前記第１のリソースと前記第２のリソースとのいずれかを選択し、前記割当と関連する無線チャネルを割り当て、地上インタフェースのためのベアラを選択し、前記地上インタフェースのためにリソースを確保する処理部と
を備え、
前記第１のリソースと前記第２のリソースとは、異なるリソースであって明確に区別されることを特徴とするネットワーク・エンティティ。
【請求項２３】
無線通信ネットワークのためのネットワーク・エンティティのための方法であって、
第１のリソースと第２のリソースとを識別する割当要求メッセージを受信する工程と、
前記第１のリソースと前記第２のリソースとのいずれかを選択する工程と、
前記割当と関連する無線チャネルを割り当てる工程と、
地上インタフェースのためのベアラを選択する工程と、
前記地上インタフェースのためにリソースを確保する工程と
を備え、
前記第１のリソースと前記第２のリソースとは、異なるリソースであって明確に区別されることを特徴とする方法。
【請求項２４】
Ａインタフェースのユーザ・プレーン接続で使用されるべきベアラを選択する工程をさらに備えることを特徴とする請求項２３に記載の方法。
【請求項２５】
前記選択されたベアラを示す割当完了メッセージを送信する工程をさらに備えることを特徴とする請求項２４に記載の方法。
【発明の詳細な説明】
【技術分野】
【０００１】
本発明は、無線通信ネットワークにおける割当及びハンドオーバに関連する（ここで使用される、「本発明」或いは「発明」との語は、典型的な実施形態に関連するものであるが、必ずしも特許請求の範囲に包含される全ての実施形態に関連するものではない。）。より詳細には、本発明は、第１のリソース・インジケータ及び第２のリソース・インジケータが、選択用メッセージに共に提供される、無線通信ネットワークにおける割当及びハンドオーバに関連する。
【背景技術】
【０００２】
本セクションは、読者に本発明の様々な側面に関連するであろう技術の様々な側面を紹介することを意図している。以下の議論は、本発明のよりよい理解を促進することを意図して提供されるものである。従って、以下の議論における記述は、この観点において理解されるべきであり、先行技術を認容するものとして理解されるべきではないことを、理解されたい。
【０００３】
Ａインタフェースは、ＭＳＣノードとＢＳＳ無線ネットワークとの間の地上インタフェースとして、３ＧＰＰにおいて規定されている。今日、ＴＤＭは、Ａインタフェースで定義されたユーザプレーン接続のためのベアラ技術として単に定義されているだけである。Ａインタフェースは、３ＧＰＰ技術仕様書４８．００１（３ＧＰＰ ＴＳ４８．００１  基地局システム−移動体サービス交換局（ＢＳＳ−ＭＳＣ）インタフェース、一般的側面）及び、そこで特定される参考文献において定義される。
【０００４】
ハンドオーバ手順は、３ＧＰＰ技術仕様書２３．００９（３ＧＰＰ ＴＳ２３．００９ハンドオーバ手順）で定義されている。技術仕様は、３ＧＰＰ標準（３ＧＰＰ ＴＳ４８．００１  基地局システム−移動体サービス交換局（ＢＳＳ−ＭＳＣ）インタフェース、一般的側面）で定義されるＡインタフェースを想定している。
【０００５】
図１は、３ＧＰＰ ＴＳ２３．００９  ハンドオーバ手順に従って行われる、ＭＳＣ内、ＢＳＣ間、ＧＳＭからＧＳＭへのハンドオーバ手順を示す。この手順は、新しい発明の概念を以下で説明するために一例として選択されたものである。
【０００６】
既存のソリューションの問題に関しては、現在の標準的なＡインタフェースを高機能化し、ユーザプレーンのためのベアラとして利用されるＩＰのために、Ａインタフェースをサポートするための努力が行われている。更なる開示では、更にサポートされた技術としてＩＰ技術について更に参照するが、本発明は、そこに限定されるものではなく、他の異なるベアラ技術にも拡張される。現在の標準的なＡインタフェース（ＡｏＴＤＭ）から、高機能化されたＡインタフェース（ＡｏＩＰ）へのネットワークの移行の間に、ユーザ・プレーンのために規定された二つのベアラ技術が、並列に利用される。これは、全ての移行シナリオについて必要とされなくてもよいが、多くのオペレータのための有望なシナリオと見なされる。
【０００７】
現在の３ＧＰＰハンドオーバ手順（３ＧＰＰ ＴＳ２３．００９ハンドオーバ手順）を、そのようなシナリオに適用すると、ＴＤＭとＩＰのユーザ・プレーン・ベアラとしての並列利用は、以下のような問題の原因となる。ＭＳＣが、目的ＢＳＣからのチャネル割当を要求するも、ＭＳＣは、このＢＳＣがＩＰをベアラタイプとして利用して地上インタフェースを確立できるのかどうかを知らない。ＢＳＣは、最後に、以下のルールに従って、ベアラタイプを決定する。
【０００８】
・ＢＳＣでは、地上インタフェース上の特定のベアラは、Ａインタフェースのために、選択された音声コーダバージョンに依存してもよい。
・ＢＳＣは常に、追加のトランスコーディングを防止するために、無線コーデック及び、無線リンク上でのコーデックと同一のコーデックを、地上インタフェース上で使用すべきであると最終決定する。
【０００９】
ＭＳＣは、ＢＳＳＭＡＰハンドオーバ要求メッセージを、目標ＢＳＣに送信する前に、Ａインタフェース・ユーザ・プレーン（地上インタフェース）のためにベアラリソースを確保しなければならない。もし目標ＢＳＣが、ＴＤＭベアラを地上インタフェースのためにサポートできない場合、ＢＳＣは、呼を拒否しなければならない。ＭＳＣは、地上インタフェースのためのＩＰベアラの新しい要求を利用して、ＢＳＳＭＡＰハンドオーバ要求メッセージを繰り返すことができる。この扱いは、Ａインタフェース上での追加のシグナリングを必要とし、ハンドオーバ時間を拡張するであろう。
【００１０】
ハンドオーバ要求メッセージの繰り返しを防ぐ一つの簡潔なソリューションは、ＢＳＣ性能についてのいくつかの構成をＭＳＣに提供することであろう。しかしながら、このソリューションには以下の不利益がある。
・それは静的であり、ＢＳＣ性能を特定の呼に対しては提供できない。
・それは、手動のインタラクションのために、エラーを起こしやすい。
【００１１】
次善のソリューションは、ＢＳＣが、ハンドオーバ要求においてＭＳＣから提供されるベアラタイプを常に受け付けることであろう。もし、地上インタフェース上の無線リンク上で選択されたコーデックを利用できない場合、ＢＳＣは別の提供されたコーデックタイプを使用すべきである。このソリューションには、以下の不利益がある。
・オペレータは、記述されたシナリオをカバーするために、ＢＳＣ内にトランスコーダ・リソースを提供しなければならない。
・ＢＳＣにトランスコーダを挿入し、圧縮音声コーデックを地上インタフェース上で利用することは、音声品質を低下させ、音声パスの遅延を増加させる。
【発明の概要】
【００１２】
本発明は、無線通信ネットワークのネットワーク・エンティティを利用した方法を包含する。当該方法は、第１のリソースと第２のリソースとを、無線通信ネットワークの地上インタフェースのために確保する工程を含み、第１のリソースと第２のリソースとは、異なるリソースであって明確に区別される。当該方法には、第１のリソースと第２のリソースとを識別するハンドオーバ要求メッセージを送信する工程も含まれる。
【００１３】
本発明は、無線通信ネットワークのためのネットワーク・エンティティを包含する。当該エンティティは、無線通信ネットワークの地上インタフェースのための第１のリソースと第２のリソースとを確保させる処理部を含み、第１のリソースと第２のリソースとは、異なるリソースであって明確に区別される。また、エンティティは、第１のリソースと第２のリソースとを識別するハンドオーバ要求メッセージが送信されるネットワークインタフェースを含む。
【００１４】
本発明は、無線通信ネットワークのネットワーク・エンティティを使用するための方法を含む。当該方法は、第１のリソースと第２のリソースとを、無線通信ネットワークの地上インタフェースのために確保する工程を含み、第１のリソースと第２のリソースとは、異なるリソースであって明確に区別される。当該方法は、第１のリソースと第２のリソースとを識別する割当要求メッセージを送信する工程を含む。
【００１５】
本発明は、無線通信ネットワークのためのネットワーク・エンティティを包含する。当該エンティティは、無線通信ネットワークの地上インタフェースのための第１のリソースと第２のリソースとを確保させる処理部を含み、第１のリソースと第２のリソースとは、異なるリソースであって明確に区別される。当該エンティティはまた、第１のリソースと第２のリソースとを識別する割当要求メッセージが送信されるネットワークインタフェースを含む。
【００１６】
本発明は、無線通信ネットワークのためのネットワーク・エンティティを包含する。当該エンティティはまた、第１のリソースと第２のリソースとを識別するハンドオーバ要求メッセージを受信するネットワークインタフェースを含み、第１のリソースと第２のリソースとは、異なるリソースであって明確に区別される。当該エンティティはまた、第１のリソースと第２のリソースとのいずれかを選択し、ハンドオーバと関連する無線チャネルを割り当て、地上インタフェースのためのベアラを選択し、地上インタフェースのためにリソースを確保する処理部を含む。
【００１７】
本発明は、無線通信ネットワークのためのネットワーク・エンティティのための方法を包含する。当該方法は、第１のリソースと第２のリソースとを識別するハンドオーバ要求メッセージを受信する工程を含み、第１のリソースと第２のリソースとは、異なるリソースであって明確に区別される。方法は、更に、第１のリソースと第２のリソースとのいずれかを選択する工程、ハンドオーバと関連する無線チャネルを割り当てる工程、地上インタフェースのためのベアラを選択する工程、地上インタフェースのためにリソースを確保する工程を含む。
【００１８】
本発明は、無線通信ネットワークのためのネットワーク・エンティティを包含する。当該エンティティは、第１のリソースと第２のリソースとを識別する割当要求メッセージを受信するネットワークインタフェースと含み、第１のリソースと第２のリソースとは、異なるリソースであって明確に区別される。当該エンティティはまた、第１のリソースと第２のリソースとのいずれかを選択し、割当と関連する無線チャネルを割り当て、地上インタフェースのためのベアラを選択し、地上インタフェースのためにリソースを確保する処理部を含む。
【００１９】
本発明は、無線通信ネットワークのためのネットワーク・エンティティのための方法を包含する。当該方法は、第１のリソースと第２のリソースとを識別する割当要求メッセージを受信する工程を含み、第１のリソースと第２のリソースとは、異なるリソースであって明確に区別される。当該方法はまた、第１のリソースと第２のリソースとのいずれかを選択する工程、割当と関連する無線チャネルを割り当てる工程、地上インタフェースのためのベアラを選択する工程、地上インタフェースのためにリソースを確保する工程を含む。
【００２０】
添付図面において、本発明の好適な実施形態、及び、本発明を実施するための好適な方法について記載する。
【図面の簡単な説明】
【００２１】
【図１】ＭＳＣ内、ＢＳＣ間、ＧＳＭからＧＳＭへのハンドオーバ手順を示す。
【図２】本発明のＡｏＴＤＭ及びＡｏＩＰを利用したＢＳＣ間ハンドオーバを示す。
【図３】改善されたＢＳＣ間ハンドオーバを示し、ＢＳＣはＩＰベアラを本発明の地上インタフェースのために選択する。
【図４】改善されたＢＳＣ間ハンドオーバを示し、ＢＳＣはＴＤＭベアラを本発明の地上インタフェースのために選択する。
【図５】本発明の呼設定時におけるＩＰベアラの選択を示す。
【図６】本発明の呼設定時におけるＴＤＭベアラの選択を示す。
【図７】本発明のネットワークエンティティのブロック図である。
【発明を実施するための形態】
【００２２】
図面を参照すると、類似の参照番号が、いくつかの図面、即ち、図２乃至図７の類似または同一の部分に使用されている。ＭＳＣのような、無線通信ネットワークのためのネットワーク・エンティティ１０が示される。このエンティティは、無線ネットワークの地上インタフェースのためい第１のリソースと第２のリソースとを確保する処理部１２を有する。ここで、第１のリソースと第２のリソースとは、異なるリソースであって明確に区別される。このエンティティは、ネットワークインタフェース１４を有し、これを介して、第１のリソースと第２のリソースとを識別するハンドオーバ要求メッセージが送信される。
【００２３】
好ましくは、ネットワーク・インタフェース１４は、ハンドオーバの確認応答を受信する。処理部１２は好ましくは、第１及び第２のリソースの一方が、ベアラのために選択されたことを検出する。好ましくは、処理部１２は、第１及び第２のリソースのうち、選択されていないリソースを解放する。
【００２４】
ネットワーク・インタフェース１４は好ましくは、ＴＤＭベアラについての選択された時分割多重（ＴＤＭ）回路の回路識別コードと、ＩＰベアラについてのインターネット・プロトコル（ＩＰ）接続を終端させるメディア・ゲートウェイ（ＭＧｗ）の転送アドレスとを、ハンドオーバ要求メッセージと共に送信する。
【００２５】
本発明は、無線通信ネットワークの、ＭＳＣのようなネットワーク・エンティティ１０を使用するための方法を包含する。当該方法は、第１のリソースと第２のリソースとを、ネットワークの地上インタフェースのために確保するステップを含む。ここで、第１のリソースと第２のリソースとは、異なるリソースであって明確に区別される。第１のリソースと第２のリソースとを識別するハンドオーバ要求メッセージを送信するステップも含まれる。
【００２６】
好ましくは、ハンドオーバの確認応答を受信するステップも含まれる。第１のリソースと第２のリソースとの一方がベアラのために選択されたことを検出するステップも好ましくは含まれる。好ましくは、第１のリソースと第２のリソースとのうち、選択されていないリソースを解放するステップも含まれる。
【００２７】
送信するステップは、ＴＤＭベアラについての選択された時分割多重（ＴＤＭ）回路の回路識別コードと、ＩＰベアラについてのＩＰ接続を終端させるメディア・ゲートウェイ（ＭＧｗ）の転送アドレスとを、ハンドオーバ要求メッセージと共に送信するステップを好ましくは含む。転送アドレスは、ＩＰアドレス及びポート番号を含むことができる。
【００２８】
本発明は、無線通信ネットワークの、ＭＳＣのようなネットワーク・エンティティ１０を使用するための方法を包含する。当該方法は、第１のリソースと第２のリソースとを、ネットワークの地上インタフェースのために確保するステップを含む。ここで、第１のリソースと第２のリソースとは、異なるリソースであって明確に区別される。第１のリソースと第２のリソースとを識別する割当要求メッセージを送信するステップも含まれる。
【００２９】
好ましくは、ベアラはＡインタフェースのユーザプレーン接続に利用されることを示す割当完了メッセージを受信するステップを含む。
【００３０】
本発明は、無線通信ネットワークのためのネットワーク・エンティティ１０を包含する。当該エンティティは処理部１２を含み、処理部１２により、第１のリソースと第２のリソースとが、無線ネットワークの地上インタフェースのために確保される。ここで、第１のリソースと第２のリソースとは、異なるリソースであって明確に区別される。当該エンティティは、第１のリソースと第２のリソースとを識別する割当要求メッセージが送信されるネットワークインタフェース１４を含む。
【００３１】
本発明は、無線通信ネットワークの為の、ＢＳＣのようなネットワーク・エンティティ１０を包含する。当該エンティティは、第１のリソースと第２のリソースとを識別するハンドオーバ要求メッセージを受信するネットワーク・インタフェース１４を含む。ここで、第１のリソースと第２のリソースとは、異なるリソースであって明確に区別される。当該エンティティは、第１のリソースと第２のリソースとのいずれかを選択し、ハンドオーバと関連する無線チャネルを割り当て、地上インタフェースのためのベアラを選択し、インタフェースのためのリソースを確保する処理部１２を含む。
【００３２】
好ましくは、ネットワーク・インタフェース１４は、ハンドオーバ要求に対する確認応答を送信する。確認応答要求は、好ましくは、どのベアラが地上インタフェース上で使用されているかを識別する情報を含む。
【００３３】
好ましくは、ハンドオーバ要求メッセージは、ＢＳＳＭＡＰハンドオーバ要求であり、ＴＤＭベアラについての選択された時分割多重（ＴＤＭ）回路の回路識別コードと、ＩＰベアラについてのＩＰ接続を終端させるメディア・ゲートウェイ（ＭＧｗ）の転送アドレスとを伴っている。
【００３４】
本発明は、無線通信ネットワークの為の、ＢＳＣのようなネットワーク・エンティティ１０のための方法を包含する。当該方法は、第１のリソースと第２のリソースとを識別するハンドオーバ要求メッセージを受信するステップを含む。ここで、第１のリソースと第２のリソースとは、異なるリソースであって明確に区別される。また、第１のリソースと第２のリソースとのいずれかを選択するステップが含まれる。ハンドオーバと関連する無線チャネルを割り当てるステップも含まれる。地上インタフェースのためのベアラを選択するステップもある。インタフェースのためのリソースを確保するステップもある。
【００３５】
好ましくは、ハンドオーバ要求に対する確認応答を送信するステップも含まれる。確認応答要求は、好ましくは、どのベアラが地上インタフェース上で使用されているかを識別する情報を含む。
【００３６】
受信するステップは、好ましくは、ＢＳＳＭＡＰハンドオーバ要求を、ＴＤＭベアラについての選択された時分割多重（ＴＤＭ）回路の回路識別コードと、ＩＰベアラについてのＩＰ接続を終端させるメディア・ゲートウェイ（ＭＧｗ）の転送アドレスと共に受信するステップを含む。
【００３７】
本発明は、無線通信ネットワークの為の、ＢＳＣのようなネットワーク・エンティティ１０を包含する。当該エンティティは、第１のリソースと第２のリソースとを識別する割当要求メッセージを受信するネットワーク・インタフェース１４を含む。ここで、第１のリソースと第２のリソースとは、異なるリソースであって明確に区別される。当該エンティティは、第１のリソースと第２のリソースとのいずれかを選択し、割当と関連する無線チャネルを割り当て、地上インタフェースのためのベアラを選択し、インタフェースのためのリソースを確保する処理部１２を含む。
【００３８】
本発明は、無線通信ネットワークの為の、ＢＳＣのようなネットワーク・エンティティ１０のための方法を包含する。当該方法は、第１のリソースと第２のリソースとを識別する割当要求メッセージを受信するステップを含む。ここで、第１のリソースと第２のリソースとは、異なるリソースであって明確に区別される。また、第１のリソースと第２のリソースとのいずれかを選択するステップが含まれる。割当と関連する無線チャネルを割り当てるステップも含まれる。地上インタフェースのためのベアラを選択するステップもある。インタフェースのためのリソースを確保するステップもある。
【００３９】
好ましくは、Ａインタフェースのユーザプレーン接続上で利用されるべきベアラを選択するステップも含む。好ましくは、選択されたベアラを示す割当完了メッセージを送信するステップも含む。
【００４０】
本発明は、３ＧＰＰを参照して説明されるが、本発明は３ＧＰＰに準拠したネットワークに限定されるものではなく、（Ｗ）ｉＤＥＮ互換ネットワークのような他のネットワークも包含してもよい。
【００４１】
本発明の動作において、ＭＳＣ内、或いは、ＭＳＣ間ハンドオーバシナリオのためにＢＳＣ間ハンドオーバ手順を改善するために、ハンドオーバは、ＧＳＭ−ＧＳＭ間のハンドオーバ、ＷＣＤＭＡ−ＧＳＭ間のハンドオーバ、或いは、ＬＴＥ−ＧＳＭ間といったような、任意の無線技術−ＧＳＭ間の他のハンドオーバのいずれかにすることができる。
【００４２】
ＭＳＣは、ＢＳＣがＩＰを地上インタフェース上でサポートするかどうかを自動的に検出する。それゆえ、ＭＳＣは、移動体の発信呼及び移動体の着信呼を監視する。ＢＳＣがＡｏＩＰを、これらの呼のいずれかのために使用するやいなや、ＭＳＣはＢＳＣをＩＰベアラをサポートすることが可能な存在としてマークする。ＡｏＩＰのための呼設定手続は、ＭＳＣとＢＳＣとの間での、どのベアラを使用するかの交渉をサポートする。
【００４３】
ＭＳＣは、ハンドオーバ要求メッセージがＢＳＣへ送信される前に、ＴＤＭベアラとＩＰベアラのためにリソースを確保する。ＢＳＣは、ベアラタイプのいずれかを選択することができる。ＢＳＳＭＡＰハンドオーバ要求応答メッセージでは、ＢＳＣがＭＳＣに対して選択されたベアラのタイプを通知する。最後に、ＭＳＣは、選択されていないベアラのタイプから、確保されたリソースを解放することができる。
【００４４】
図２は、改善されたハンドオーバ手順の概念を示す。図中の番号は、動作のシーケンスを示す。
【００４５】
第１のステップ１では、ＢＳＣ（ソースＢＳＣ）が、ハンドオーバ状況を検出し、第２のステップ２において、ＭＳＣに対してハンドオーバが必要であることを通知する。続くステップ３では、ＭＳＣはＴＤＭリソースと、他のベアラのためのリソース、例えば、地上インタフェースのためのＩＰ、を確保する。その後、ステップ４では、確保したリソースに関する維持を含むハンドオーバ要求が、さらなるＢＳＣ（目標ＢＳＣ）に送信される。さらなるＢＳＣ（目標ＢＳＣ）は、地上インタフェースのためのベアラを選択し、ステップ６において、ハンドオーバ要求に対する確認応答をＭＳＣに対して送信する。確認応答内、或いは、他の適切なメッセージ情報内において、どのベアラが地上インタフェース上で使用されているのかの情報が、ＭＳＣに対して提供される。最後に、ステップ７においてＭＳＣは、提供された、どのベアラが地上インタフェースで利用されているかの情報を利用して、例えば、３ＧＰＰで規定されているようにハンドオーバ手順を継続する。さらに、ＭＳＣはまた、提供された、どのベアラが地上インタフェースで利用されているかの情報を利用して、他のベアラのために、確保したが未使用のリソースを解放する。
【００４６】
ＢＳＣ間ハンドオーバー手順の改善は、以下のシナリオに基づく。
・目標ＢＳＣは、ＡｏＴＤＭ及びＡｏＩＰをサポートすることができる。
注意：ハンドオーバ要求を目標ＭＳＣに送信するＭＳＣは、どのベアラが選択されることになるかを事前には知らない。
・ＧＳＭ−ＧＳＭ間へ、或いは、ＷＣＤＭＡ−ＧＳＭ間のハンドオーバが実行される。
【００４７】
ＭＳＣは、移動体発信呼及び移動体着信呼のために、呼設定手順を監視する。ＢＳＣが、これらの呼のいずれかについてＡｏＩＰを一度使用すると、ＭＳＣは、ＢＳＣがユーザプレーン上でＩＰを利用可能であるとマークする。
【００４８】
ＢＳＣがＡｏＩＰをサポートするかどうかの情報は、異なる方法（例えば、それはＯ＆Ｍ（オペレーション＆メンテナンス）ツールを介して管理されてもよい）で、ＭＳＣに対して提供されてもよい。
【００４９】
ハンドオーバ手順の間、あるＭＳＣはＢＳＳＭＡＰハンドオーバ要求を目標ＢＳＣに送信する。これは、アンカーＭＳＣ（ＭＳＣ内ハンドオーバ手順、或いは、その後の、別のＭＳＣに戻るＭＳＣ間のハンドオーバ）、或いは、非アンカーＭＳＣ（非アンカーＭＳＣにおけるＭＳＣ内、ＭＳＣ間ハンドオーバ、或いは、後続する、別の非アンカーＭＳＣへのＭＳＣ間ハンドオーバ）であってもよい。
【００５０】
図３は、提案に係るハンドオーバ手順に利用可能な可能性のあるメッセージフローを示す。この例では、ＢＳＣは地上インタフェースのためにＩＰベアラを選択する。
【００５１】
以下のステップは図３に示されている。
・まず、ＭＳＣは、目標ＢＳＣからのチャネル割当を要求する状況を検出する（ステップ１）。これは、例えば、ＢＳＳＭＡＰハンドオーバ要求メッセージのＢＳＣ（ＭＳＣ内ハンドオーバ）からの受信、或いは、ＭＡＰ準備ハンドオーバ要求メッセージ（ＭＳＣ間ハンドオーバ）の受信であってもよい。
・ＴＤＭ回路及びＩＰリソースを、目標ＢＳＣに向かう地上インタフェースのために確保する。ここには、ＭＳＣ内部処理が含まれ、階層ネットワーク構造の場合、ＭＳＣ−Ｓは、ＭＧｗに対し、ＴＤＭ終端及びＩＰ終端を要求しなければならない（ステップ２−５）。
・ＭＳＣは、ＢＳＳＭＡＰハンドオーバ要求メッセージを目標ＢＳＣに送信する。このメッセージは、ＭＳＣがＣＩＣを割り当てる場合にＣＩＣと、ＩＰアドレス情報をＭＧＷからＢＳＣへ転送するために利用されるコンテナ（ＡｏＩＰコンテナ）と含む。
【００５２】
・ＢＳＣは、無線チャネルを割当、地上インタフェースのためにベアラを選択し、このインタフェースのためにリソースを確保する（ステップ７）。ここで、ＢＳＣは、ＩＰベアラを使用することを決定する。
・確認応答メッセージでは、ＢＳＣは、そのユーザ・プレーン・アドレス情報をＡｏＩＰコンテナ内で提供する（ステップ８）。ＭＳＣは、ＡｏＩＰコンテナを受信したので、ＩＰがベアラとして選択されたと識別する。
・ＭＳＣは、ＡｏＩＰコンテナのコンテンツを、ＭＧＷに渡す（ステップ９、１０）。
・ＭＳＣは確保したＴＤＭリソースを解放する。階層構造では、ＭＳＣはＭＧＷにＴＤＭ終端の解放を要求する（ステップ１１、１２）。
【００５３】
図５は、呼設定（割当）時のＩＰベアラの選択を示す。
【００５４】
図４は、提案に係るハンドオーバ手順に利用可能な可能性のあるメッセージフローの第２の例を示す。この例では、ＢＳＣは地上インタフェースのためにＴＤＭを選択する。
【００５５】
ステップ１から６は、以前のケースと同様である。ここでは、ＢＳＣがＩＰベアラを地上インタフェースのために選択した。以下のステップは異なっている。
・ＢＳＣは無線チャネルを割り当て、地上インタフェースのためのベアラを選択し、このインタフェースのためのリソースを確保する（ステップ７）。先の例とは異なり、ここでは、ＢＳＣがＴＤＭベアラを使用することを決定する。
・ＢＳＣは、３ＧＰＰでＡｏＴＤＭについて規定されている確認応答メッセージを送信する。ＭＳＣは、ＡｏＩＰコンテナを受信しないので、ベアラとしてＴＤＭが選択されたと識別する。
・ＭＳＣは、確保したＩＰリソースを解放する。階層構造では、ＭＳＣは、ＭＧＷにＩＰ終端の解放を要求する（ステップ９、１０）。
【００５６】
ここで、ＢＳＣがＣＩＣの割り当てを行う責任がある場合、上記の例に対して、以下の変更が行われる。
・ＭＳＣは、ＣＩＣをハンドオーバ要求メッセージ内で提供しない（両方の例）。
・もし、ＢＳＣがＴＤＭベアラを地上インタフェースとして選択する場合、ＣＩＣをハンドオーバ要求応答メッセージ内で提供する（第１の例）。
【００５７】
図６は、呼設定（割当）時におけるＴＤＭベアラの選択を示す。
【００５８】
ハンドオーバ（ＨＯ）及び割当要求は、２つの独立した機能である。割当要求は、呼設定時におけるものである。無線接続（移動体端末とアンテナとの接続、更には、ＢＳＣノードへの接続）を確立し、コアネットワークと接続することは、強制的に行われる。
【００５９】
ハンドオーバは、端末が動き回っている際の呼について実行される。異なるハンドオーバのタイプが区別される。移動中に、端末は、新しいアンテナ、新しい無線カバレッジ・セル、別のＢＳＣによって制御されている領域、或いは、別のＭＳＣによって制御されている領域に到達するかも知れない。さらなるシステム間ハンドオーバが可能であり、このことは、発呼者たる加入者が２Ｇネットワークで発呼して、３Ｇネットワークに変更することを意味する。
【００６０】
本発明については、関連するハンドオーバ処理には、ＢＳＣ間ＭＳＣ内（ＢＳＣは変更されるが、両ＢＳＣノードは一つのＭＳＣによって制御されている）がある。
【００６１】
不図示（しかし実施可能である）のものに、ＢＳＣ間ＭＳＣ間ハンドオーバがある。この場合、ＢＳＣとＭＳＣが変更される。不図示であるが、さらに可能な例として、システム間ハンドオーバがあり、ここでは、目標システムはＧＳＭシステムである。ソースシステムは、ＷＣＤＭＡやＬＴＥなど、どんな技術のシステムであってもよい。
【００６２】
図５及び図６を参照して、以下で割当のステップを説明する。
１．ＭＳＣは呼設定を実行する状況を検出する。
２．ＭＳＣは、ＢＳＣが、後のＡインタフェースのユーザ・プレーン接続のためにＴＤＭベアラを選択した場合に使用されるべきＴＤＭ終端を確保する。ＡＤＤ要求では、ＭＳＣは確保すべきＴＤＭ終端識別子を特定する（不図示）。ＴＤＭ終端識別子は、この呼で使用されるＣＩＣに一意にマッピングされる。
３．ＭＧｗはＡＤＤ要求に依存する。
４．ＭＳＣは、ＢＳＣが、後のＡインタフェースのユーザ・プレーン接続のためにＩＰベアラを選択した場合に使用されるＩＰ終端を確保する。
５．ＭＧｗは、ＡＤＤ要求に依存する。
６．ＭＳＣは、ＢＳＳＭＡＰ割当要求メッセージを、目標ＢＳＣ内でチャネル割当を鳥がするために送信する。ＭＳＣは、ＣＩＣ及びＡｏＩＰコンテナを提供し、これらのうちの一つは、呼のために使用される。
７．ＢＳＣは、無線チャネルを確立する。さらにＢＳＣは、Ａインタフェースのユーザ・プレーン接続で使用されるべきベアラを選択する。この例（図５）では、ＢＳＣはＴＤＭベアラの使用を選択している。
８．ＢＳＣは、標準で規定されるとおり、割当完了メッセージをＭＳＣに送り返す。
９．受信した割当完了メッセージから、ＭＳＣは、Ａインタフェースのユーザ・プレーン接続で使用されるＴＤＭベアラを差し引く（図５を参照）。ＭＳＣは、ＭＧｗに対して、それ以前に確保していたＩＰ終端を除去するように要求する（ステップ４）。
１０．ＭＧｗは、ＳＵＢ要求を確認する。
【００６３】
本発明は、以下の発明のステップを含むものであるが、これらに限定されることはない。
・ＭＳＣは、ＢＳＳがＩＰを地上インタフェス上でサポートする性能を検出する。
・ＭＳＣは、目標ＢＳＣからのチャンネル割当を要求する前に、ＴＤＭベアラとＩＰベアラを確保する。
・ＭＳＣは、ＢＳＣがベアラを選択し、決定事項についてＢＳＣに通知した後に、未使用のリソースを解放する。
【００６４】
本発明は、以下の利点を有する。
・ＭＳＣは、ＢＳＣが地上インタフェースの為にＩＰベアラをサポートできるかどうかを、自動的に検出する。
・３ＧＰＰハンドオーバ手順及び割当手順のために定義されたＢＳＳＭＡＰメッセージを再利用できる。
・ＢＳＣは、地上インタフェースのためのベアラの選択について、完全に自由である。
・ＭＳＣ或いは、ＢＳＣについて設定は不要である。
・ＡｏＩＰ及びＡｏＴＤＭが並列に使用される場合についてのみ、手順を適用できる。手順は削除することが可能であり、ＢＳＣがＡｏＩＰをサポートする場合には（未来のネットワークのための提案目標ソリューション）、何の追加の影響もない。
・本手順は、ＭＳＣにおけるＣＩＣ選択とＢＳＣにおけるＣＩＣ選択（ＡｏＴＤＭのための）とをサポートする。
【００６５】
＜略語一覧＞
(W)iDEN：(Wideband) Integrated Digital Enhanced Network
3GPP：  3rd generation Partnership Project
AoIP：A-Interface (user plane) over IP
AoTDM：A-Interface (user plane) over TDM
BSC：Base Station Controller
BSS：Base Station Subsystem
BSSMAP：Base Station System Management Application Part
CIC：Circuit Identity Code
GSM：Global System for Mobile communications
HO：Handover
iDEN：Integrated Digital Enhanced Network
IP：Internet Protocol
LTE：Long Term Evolution
MGw：Media Gateway
MSC：Mobile Switching Center
MSC-S：Mobile Switching Center Server
TDM：Time-division Multiplexing
WCDMA：Wideband Code Division Multiple Access。
【００６６】
本発明は、説明のための上述の実施例において詳細に記述されたが、係る詳細は、その目的のためにのみ提供されたものであって、特許請求の範囲に記載されたもの以外に発明の精神及び範囲から逸脱することなく変更が可能であることは、当業者は直ちに理解するであろう。
【図１】
2011508495.tif 000003
【図２】
2011508495.tif 000004
【図３】
2011508495.tif 000005
【図４】
2011508495.tif 000006
【図５】
2011508495.tif 000007
【図６】
2011508495.tif 000008
【図７】
2011508495.tif 000009
【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
無線通信ネットワークのネットワーク・エンティティ（ＭＳＣ）を使用するための方法であって、
第１のＴＤＭリソースと第２のＩＰリソースとを、前記無線通信ネットワークの地上Ａインタフェースのために確保する工程（２、３、４、５）と、
前記第１のＴＤＭリソースと前記第２のＩＰリソースとを識別するハンドオーバ要求メッセージを送信する工程（６）と
を備え、
前記第１のＴＤＭリソースと前記第２のＩＰリソースとは、異なるリソースであって明確に区別されることを特徴とする方法。
【請求項２】
前記ハンドオーバの確認応答を受信する工程をさらに備えることを特徴とする請求項１に記載の方法。
【請求項３】
前記第１のＴＤＭリソースと前記第２のＩＰリソースとのいずれかがベアラのために選択されたことを検出する工程をさらに備えることを特徴とする請求項２に記載の方法。
【請求項４】
前記第１のＴＤＭリソースと前記第２のＩＰリソースとのうち、選択されていないリソースを解放する工程をさらに備えることを特徴とする請求項３に記載の方法。
【請求項５】
前記送信する工程は、
時分割多重（ＴＤＭ）ベアラについての選択されたＴＤＭ回路の回路識別コードと、インターネット・プロトコル（ＩＰ）ベアラについてのＩＰ接続を終端させるメディア・ゲートウェイ（ＭＧｗ）の転送アドレスとを、前記ハンドオーバ要求メッセージと共に送信する工程を含むことを特徴とする請求項４に記載の方法。
【請求項６】
無線通信ネットワークのためのネットワーク・エンティティ（ＭＳＣ）であって、
前記無線通信ネットワークの地上Ａインタフェースのための第１のＴＤＭリソースと第２のＩＰリソースとを確保するように適合された処理部（１２）と、
前記第１のＴＤＭリソースと前記第２のＩＰリソースとを識別するハンドオーバ要求メッセージが送信されるネットワークインタフェース（１４）と
を備え、
前記第１のＴＤＭリソースと前記第２のＩＰリソースとは、異なるリソースであって明確に区別されることを特徴とするネットワーク・エンティティ。
【請求項７】
前記ネットワーク・インタフェースは、前記ハンドオーバの確認応答を受信する（８）ことを特徴とする請求項６に記載のネットワーク・エンティティ。
【請求項８】
前記処理部は、前記第１のＴＤＭリソースと前記第２のＩＰリソースとのいずれかがベアラのために選択されたことを検出するように適合されたことを特徴とする請求項７に記載のネットワーク・エンティティ。
【請求項９】
前記処理部は、前記第１のＴＤＭリソースと前記第２のＩＰリソースとのうち、選択されていない一つを解放させるするように適合されたことを特徴とする請求項８に記載のネットワーク・エンティティ。
【請求項１０】
前記ネットワーク・インタフェースは、前記ハンドオーバ要求メッセージを、時分割多重（ＴＤＭ）ベアラについての選択されたＴＤＭ回路の回路識別コード、及び、インターネット・プロトコル（ＩＰ）ベアラについてのＩＰ接続を終端させるメディア・ゲートウェイ（ＭＧｗ）の転送アドレスと共に送信するように適合されたことを特徴とする請求項９に記載のネットワーク・エンティティ。
【請求項１１】
無線通信ネットワークのネットワーク・エンティティ（ＭＳＣ）を使用するための方法であって、
第１のＴＤＭリソースと第２のＩＰリソースとを、前記無線通信ネットワークの地上Ａインタフェースのために確保する工程（２、３、４、５）と、
前記第１のＴＤＭリソースと前記第２のＩＰリソースとを識別する割当要求メッセージを送信する工程（６）と
を備え、
前記第１のＴＤＭリソースと前記第２のＩＰリソースとは、異なるリソースであって明確に区別されることを特徴とする方法。
【請求項１２】
前記地上Ａインタフェースのユーザ・プレーン接続で使用されるべきベアラを示す割当完了メッセージを受信する工程をさらに備えることを特徴とする請求項１１に記載の方法。
【請求項１３】
無線通信ネットワークのためのネットワーク・エンティティ（ＭＳＣ）であって、
前記無線通信ネットワークの地上Ａインタフェースのための第１のＴＤＭリソースと第２のＩＰリソースとを確保させる（２、３、４、５）ように適合された処理部（１２）と、
前記第１のＴＤＭリソースと前記第２のＩＰリソースとを識別する割当要求メッセージが送信されるネットワークインタフェース（１４）と
を備え、
前記第１のＴＤＭリソースと前記第２のＩＰリソースとは、異なるリソースであって明確に区別されることを特徴とするネットワーク・エンティティ。
【請求項１４】
無線通信ネットワークのためのネットワーク・エンティティ（ＢＳＣ）であって、
第１のＴＤＭリソースと第２のＩＰリソースとを識別するハンドオーバ要求メッセージを受信するように適合されたネットワークインタフェース（１４）と、
前記第１のＴＤＭリソースと前記第２のＩＰリソースとのいずれかを選択し、前記ハンドオーバと関連する無線チャネルを割り当て、地上Ａインタフェースのためのベアラを選択し、前記地上Ａインタフェースのためにリソースを確保する処理部（１２）と
を備え、
前記第１のＴＤＭリソースと前記第２のＩＰリソースとは、異なるリソースであって明確に区別されることを特徴とするネットワーク・エンティティ。
【請求項１５】
前記ネットワーク・インタフェースは、前記ハンドオーバの確認応答を送信する（８）ことを特徴とする請求項１４に記載のネットワーク・エンティティ。
【請求項１６】
前記確認応答は、どのベアラが前記地上Ａインタフェースで使用されるかを識別する情報を含むことを特徴とする、請求項１５に記載のネットワーク・エンティティ。
【請求項１７】
前記ハンドオーバ要求メッセージは、基地局システム管理アプリケーション・パート（ＢＳＳＭＡＰ）ハンドオーバ要求であって、時分割多重（ＴＤＭ）ベアラについての選択されたＴＤＭ回路の回路識別コードと、インターネット・プロトコル（ＩＰ）ベアラについてのＩＰ接続を終端させるメディア・ゲートウェイ（ＭＧｗ）の転送アドレスとを伴うことを特徴とする請求項１６に記載のネットワーク・エンティティ。
【請求項１８】
無線通信ネットワークのためのネットワーク・エンティティ（ＢＳＣ）のための方法であって、
第１のＴＤＭリソースと第２のＩＰリソースとを識別するハンドオーバ要求メッセージを受信する工程（６）と、
前記第１のＴＤＭリソースと前記第２のＩＰリソースとのいずれかを選択する工程（７）と、
前記ハンドオーバと関連する無線チャネルを割り当てる工程（７）と、
地上Ａインタフェースのためのベアラを選択する工程（７）と、
前記地上Ａインタフェースのためにリソースを確保する工程（７）と
を備え、
前記第１のＴＤＭリソースと前記第２のＩＰリソースとは、異なるリソースであって明確に区別されることを特徴とする方法。
【請求項１９】
前記ハンドオーバの確認応答を送信する工程（８）をさらに備えることを特徴とする請求項１８に記載の方法。
【請求項２０】
前記確認応答は、どのベアラが前記地上Ａインタフェースで使用されるかを識別する情報を含むことを特徴とする、請求項１９に記載の方法。
【請求項２１】
前記受信する工程は、
基地局システム管理アプリケーション・パート（ＢＳＳＭＡＰ）ハンドオーバ要求を、時分割多重（ＴＤＭ）ベアラについての選択されたＴＤＭ回路の回路識別コード、及び、インターネット・プロトコル（ＩＰ）ベアラについてのＩＰ接続を終端させるメディア・ゲートウェイ（ＭＧｗ）の転送アドレスと共に受信する工程を含むことを特徴とする請求項２０に記載の方法。
【請求項２２】
無線通信ネットワークのためのネットワーク・エンティティ（ＢＳＣ）であって、
第１のＴＤＭリソースと第２のＩＰリソースとを識別する割当要求メッセージを受信する（６）ネットワークインタフェース（１４）と、
前記第１のＴＤＭリソースと前記第２のＩＰリソースとのいずれかを選択し、前記割当と関連する無線チャネルを割り当て、地上Ａインタフェースのためのベアラを選択し、前記地上Ａインタフェースのためにリソースを確保する処理部（１２）と
を備え、
前記第１のＴＤＭリソースと前記第２のＩＰリソースとは、異なるリソースであって明確に区別されることを特徴とするネットワーク・エンティティ。
【請求項２３】
無線通信ネットワークのためのネットワーク・エンティティ（ＢＳＣ）のための方法であって、
第１のＴＤＭリソースと第２のＩＰリソースとを識別する割当要求メッセージを受信する工程（６）と、
前記第１のＴＤＭリソースと前記第２のＩＰリソースとのいずれかを選択する工程（７）と、
前記割当と関連する無線チャネルを割り当てる工程（７）と、
地上Ａインタフェースのためのベアラを選択する工程（７）と、
前記地上Ａインタフェースのためにリソースを確保する工程（７）と
を備え、
前記第１のＴＤＭリソースと前記第２のＩＰリソースとは、異なるリソースであって明確に区別されることを特徴とする方法。
【請求項２４】
前記地上Ａインタフェースのユーザ・プレーン接続で使用されるべきベアラを選択する工程をさらに備えることを特徴とする請求項２３に記載の方法。
【請求項２５】
前記選択されたベアラを示す割当完了メッセージを送信する工程をさらに備えることを特徴とする請求項２４に記載の方法。
【手続補正２】
【補正対象書類名】明細書
【補正対象項目名】００１１
【補正方法】変更
【補正の内容】
【００１１】
次善のソリューションは、ＢＳＣが、ハンドオーバ要求においてＭＳＣから提供されるベアラタイプを常に受け付けることであろう。もし、地上インタフェース上の無線リンク上で選択されたコーデックを利用できない場合、ＢＳＣは別の提供されたコーデックタイプを使用すべきである。このソリューションには、以下の不利益がある。
・オペレータは、記述されたシナリオをカバーするために、ＢＳＣ内にトランスコーダ・リソースを提供しなければならない。
・ＢＳＣにトランスコーダを挿入し、圧縮音声コーデックを地上インタフェース上で利用することは、音声品質を低下させ、音声パスの遅延を増加させる。
欧州特許出願公開第１８６８３９５号明細書は、ネットワークを選択するためのネットワーク選択について開示する。無線基地局制御装置は、無線基地局と、前記無線基地局と前記無線基地局制御装置との間に提供される複数ネットワークのうちのネットワークで送信されるべき情報のタイプとに基づいてネットワークを選択し、また、送信情報を送信するための帯域を保証する。
３ＧＰＰ  ＴＲ４３．９０３  Ｖ０．０．２（２００７年１１月）は、ＡインタフェースのＩＰによるサポート導入の実現可能性に関する研究成果を開示する。研究対象となったハイレベルエリアは、例えば、コアネットワーク内のトランスコーダの潜在的な配置、Ａインタフェースでの効果的な帯域幅活用、メッセージ関連呼への影響及びペイロード形式である。
【手続補正３】
【補正対象書類名】明細書
【補正対象項目名】００１２
【補正方法】変更
【補正の内容】
【００１２】
方法、及び、ネットワーク・エンティティが独立請求項に記載される。
本発明の典型的な実施形態は、無線通信ネットワークのネットワーク・エンティティを使用するための方法を包含する。当該方法は、第１のリソースと第２のリソースとを、無線通信ネットワークの地上インタフェースのために確保する工程を含み、第１のリソースと第２のリソースとは、異なるリソースであって明確に区別される。当該方法には、第１のリソースと第２のリソースとを識別するハンドオーバ要求メッセージを送信する工程も含まれる。
【手続補正４】
【補正対象書類名】明細書
【補正対象項目名】００１３
【補正方法】変更
【補正の内容】
【００１３】
本発明の典型的な実施形態は、無線通信ネットワークのためのネットワーク・エンティティを包含する。当該エンティティは、無線通信ネットワークの地上インタフェースのための第１のリソースと第２のリソースとを確保させる処理部を含み、第１のリソースと第２のリソースとは、異なるリソースであって明確に区別される。また、エンティティは、第１のリソースと第２のリソースとを識別するハンドオーバ要求メッセージが送信されるネットワークインタフェースを含む。
【手続補正５】
【補正対象書類名】明細書
【補正対象項目名】００１４
【補正方法】変更
【補正の内容】
【００１４】
本発明の典型的な実施形態は、無線通信ネットワークのネットワーク・エンティティを使用するための方法を含む。当該方法は、第１のリソースと第２のリソースとを、無線通信ネットワークの地上インタフェースのために確保する工程を含み、第１のリソースと第２のリソースとは、異なるリソースであって明確に区別される。当該方法は、第１のリソースと第２のリソースとを識別する割当要求メッセージを送信する工程を含む。
【手続補正６】
【補正対象書類名】明細書
【補正対象項目名】００１５
【補正方法】変更
【補正の内容】
【００１５】
本発明の典型的な実施形態は、無線通信ネットワークのためのネットワーク・エンティティを包含する。当該エンティティは、無線通信ネットワークの地上インタフェースのための第１のリソースと第２のリソースとを確保させる処理部を含み、第１のリソースと第２のリソースとは、異なるリソースであって明確に区別される。当該エンティティはまた、第１のリソースと第２のリソースとを識別する割当要求メッセージが送信されるネットワークインタフェースを含む。
【手続補正７】
【補正対象書類名】明細書
【補正対象項目名】００１６
【補正方法】変更
【補正の内容】
【００１６】
本発明の典型的な実施形態は、無線通信ネットワークのためのネットワーク・エンティティを包含する。当該エンティティはまた、第１のリソースと第２のリソースとを識別するハンドオーバ要求メッセージを受信するネットワークインタフェースを含み、第１のリソースと第２のリソースとは、異なるリソースであって明確に区別される。当該エンティティはまた、第１のリソースと第２のリソースとのいずれかを選択し、ハンドオーバと関連する無線チャネルを割り当て、地上インタフェースのためのベアラを選択し、地上インタフェースのためにリソースを確保する処理部を含む。
【手続補正８】
【補正対象書類名】明細書
【補正対象項目名】００１７
【補正方法】変更
【補正の内容】
【００１７】
本発明の典型的な実施形態は、無線通信ネットワークのためのネットワーク・エンティティのための方法を包含する。当該方法は、第１のリソースと第２のリソースとを識別するハンドオーバ要求メッセージを受信する工程を含み、第１のリソースと第２のリソースとは、異なるリソースであって明確に区別される。方法は、更に、第１のリソースと第２のリソースとのいずれかを選択する工程、ハンドオーバと関連する無線チャネルを割り当てる工程、地上インタフェースのためのベアラを選択する工程、地上インタフェースのためにリソースを確保する工程を含む。
【手続補正９】
【補正対象書類名】明細書
【補正対象項目名】００１８
【補正方法】変更
【補正の内容】
【００１８】
本発明の典型的な実施形態は、無線通信ネットワークのためのネットワーク・エンティティを包含する。当該エンティティは、第１のリソースと第２のリソースとを識別する割当要求メッセージを受信するネットワークインタフェースと含み、第１のリソースと第２のリソースとは、異なるリソースであって明確に区別される。当該エンティティはまた、第１のリソースと第２のリソースとのいずれかを選択し、割当と関連する無線チャネルを割り当て、地上インタフェースのためのベアラを選択し、地上インタフェースのためにリソースを確保する処理部を含む。
【手続補正１０】
【補正対象書類名】明細書
【補正対象項目名】００１９
【補正方法】変更
【補正の内容】
【００１９】
本発明の典型的な実施形態は、無線通信ネットワークのためのネットワーク・エンティティのための方法を包含する。当該方法は、第１のリソースと第２のリソースとを識別する割当要求メッセージを受信する工程を含み、第１のリソースと第２のリソースとは、異なるリソースであって明確に区別される。当該方法はまた、第１のリソースと第２のリソースとのいずれかを選択する工程、割当と関連する無線チャネルを割り当てる工程、地上インタフェースのためのベアラを選択する工程、地上インタフェースのためにリソースを確保する工程を含む。
【手続補正１１】
【補正対象書類名】明細書
【補正対象項目名】００６６
【補正方法】変更
【補正の内容】
【００６６】
本発明は、説明のための上述の実施例において詳細に記述されたが、係る詳細は、その目的のためにのみ提供されたものであって、特許請求の範囲に記載されたもの以外に発明の範囲から逸脱することなく変更が可能であることは、当業者は直ちに理解するであろう。
【国際調査報告】
2011508495.tif 000010
2011508495.tif 000011
2011508495.tif 000012